(57)【要約】【課題】金属リフレクタのＧＮＤの接触を安定させることにより、表示部の開閉動作及び加振等で液晶表示面にチラツキが発生するなど画像がみだれた状態になることをなくし、かつ、軽量な携帯型情報処理装置を提供することを目的とする。【解決手段】金属リフレクタ４はバネ性の金属材料で形成されており、ランプ５を覆うように配置され、その端部には、ヒンジユニット３とのＧＮＤを確保するためのバネ性の接触片４ａがあり、ヒンジアーム部３ｂに接触している。これにより、金属リフレクタ４を接触片４ａからヒンジユニット３を経由し、情報処理装置本体にＧＮＤ接続することができる。接触片４ａは金属製のバネ構造であるため、温度及び経時による変化が非常に少なく、接触の安定性を確保することができる。【選択図】図２
2006190012.tif 000002
【特許請求の範囲】
【請求項１】
表示部がヒンジを介して情報処理装置本体に開閉可能に取り付けられる携帯型情報処理装置において、前記表示部を箱体状に構成し表示装置を収納する背面筐体と、前記表示部が前記情報処理装置本体に対して開閉可能となるためのヒンジ回転軸と、一端を前記ヒンジ回転軸に固定されたヒンジアーム部とを有するヒンジユニットと、前記表示装置の表示面を明るく表示させるためのランプと、前記ランプの光を前記表示面に導き、かつ、前記ランプを覆い保持するリフレクタと、前記リフレクタと前記ヒンジアーム部とを電気的に接続する弾性接触片を設けたことを特徴とする携帯型情報処理装置。
【請求項２】
弾性接触片がリフレクタと一体に構成されていることを特徴とする請求項１記載の携帯型情報処理装置。
【請求項３】
ヒンジユニットが左右両端に配置され、それぞれに弾性接触片が電気的に接続されていることを特徴とする請求項１記載の携帯型情報処理装置。
【発明の詳細な説明】
【技術分野】
【０００１】
本発明は、液晶表示装置を有するノートパソコンなどの携帯型情報処理装置に関するものである。
【背景技術】
【０００２】
近年、液晶表示装置などの平板状表示装置を有するノートパソコンのような携帯型情報処理装置において、その携帯性を高めるため、液晶表示装置を収納する背面筐体を薄肉化するなど、装置自体の薄型・軽量化が進んでいる。
【０００３】
一方では、液晶表示装置の表示品位の向上も要求されている。特に液晶表示装置などはノイズに弱いため、同じ背面筐体内に収納される液晶表示装置のバックライトユニットのインバータや金属リフレクタなどのＧＮＤ接続の安定が要求される。つまり、金属リフレクタなどを情報処理装置本体のＧＮＤに落とさないと、表示部の開閉動作及び加振等で液晶表示面にチラツキが発生するなど画像がみだれた状態になる。
【０００４】
このため、背面筐体の軽量化と同時に、液晶表示装置の表示品位を両立させるための構造が工夫されている。
【０００５】
図３は、従来の携帯型情報処理装置の構造を示す分解斜視図、図４は、その部分断面図である。図において、１１は液晶表示装置、１２は液晶表示装置１１を収納する背面筐体で、マグネシウム合金などの金属材料で形成されている。１３は、情報処理装置本体（図示せず）に対して開閉可能となるためのヒンジ回転軸１３ａと、一端をヒンジ回転軸に固定されたヒンジアーム部１３ｂとを有するヒンジユニット、１４は金属リフレクタ、１５は液晶表示装置１１の表示面を明るく表示させるためのランプである。２１はガスケットであり、ガスケット２１は、金属リフレクタ１４と金属製の背面筐体１２とを電気的に接続しＧＮＤを確保するように配置される。
【０００６】
上記構成とすることにより、金属リフレクタ１４と背面筐体１２とのＧＮＤを確保することができ、液晶表示装置１１が金属リフレクタ１４によるノイズの影響を受けることを防止することができる。
【０００７】
なお、ＧＮＤを確保するように工夫した表示装置の構造に関する特許文献としては下記のものがある。
【特許文献１】特開２０００−１０５３７２号公報
【発明の開示】
【発明が解決しようとする課題】
【０００８】
このような上記従来の携帯型情報処理装置においては、下記に挙げる課題があった。
（１）ガスケットは、温度に対して変形（へたり）をおこしやすい構造をした部品であるが、上記の金属リフレクタは、高温となるランプを保持するように配置された部品であるため、温度による熱変形により、ＧＮＤの確保が難しくなっており、ＧＮＤの安定確保が必要である。
（２）液晶表示装置前面に、金属のフレームが配置されることがある。これは強度を確保すると同時に、金属リフレクタとのＧＮＤをネジを使用して行うことができるので、ＧＮＤの安定という面からみると、効果はある。但し、軽量化の観点からは、前面の金属フレームは、廃止される方向であることが多くなってきている。
（３）ガスケットにて背面筐体との接触を確保する場所は、筐体としても導通を確保しておかねばならないため、防錆処理や塗装もマスキングにも注意をしておかなければならない。
【０００９】
本発明は、金属リフレクタのＧＮＤの接触を安定させることにより、表示部の開閉動作及び加振等で液晶表示面にチラツキが発生するなど画像がみだれた状態になることをなくし、かつ、軽量な携帯型情報処理装置を提供することを目的とする。
【課題を解決するための手段】
【００１０】
この課題を解決するために本発明の携帯型情報処理装置は、表示部がヒンジを介して情報処理装置本体に開閉可能に取り付けられる携帯型情報処理装置において、表示部を箱体状に構成し表示装置を収納する背面筐体と、表示部が情報処理装置本体に対して開閉可能となるためのヒンジ回転軸と、一端を前記ヒンジ回転軸に固定されたヒンジアーム部とを有するヒンジユニットと、表示装置の表示面を明るく表示させるためのランプと、ランプの光を表示面に導き、かつ、ランプを覆い保持するリフレクタと、リフレクタとヒンジアーム部とを電気的に接続する弾性接触片を設けたものである。
【００１１】
これにより、金属リフレクタのＧＮＤの接触を安定させることにより、表示部の開閉動作及び加振等で液晶表示面にチラツキが発生するなど画像がみだれた状態になることがなくなる。
【発明の効果】
【００１２】
本発明によれば、携帯型情報処理装置のより軽量化を狙っていく際に、課題となる液晶表示装置の表示チラツキ対策として、金属リフレクタからのＧＮＤ確保において、金属製のバネをヒンジユニットに接触させているので、安定したＧＮＤ確保を実現することができるという有利な効果が得られる。
【発明を実施するための最良の形態】
【００１３】
本発明の請求項１に記載の発明は、表示部がヒンジを介して情報処理装置本体に開閉可能に取り付けられる携帯型情報処理装置において、前記表示部を箱体状に構成し表示装置を収納する背面筐体と、前記表示部が前記情報処理装置本体に対して開閉可能となるためのヒンジ回転軸と、一端を前記ヒンジ回転軸に固定されたヒンジアーム部とを有するヒンジユニットと、前記表示装置の表示面を明るく表示させるためのランプと、前記ランプの光を前記表示面に導き、かつ、前記ランプを覆い保持するリフレクタと、前記リフレクタと前記ヒンジアーム部とを電気的に接続する弾性接触片を設けたことを特徴とする携帯型情報処理装置であり、金属リフレクタのＧＮＤの接触が安定し、かつ、軽量な携帯型情報処理装置を提供することができるという作用を有する。
【００１４】
請求項２に記載の発明は、請求項１記載の携帯型情報処理装置において、弾性接触片がリフレクタと一体に構成されていることを特徴とするもので、ＧＮＤ安定化のための専用の部品を不要とすることができる。
【００１５】
請求項３に記載の発明は、請求項１記載の携帯型情報処理装置において、ヒンジユニットが左右両端に配置され、それぞれに弾性接触片を介しリフレクタが電気的に接続されていることを特徴としたもので、２箇所で接続されるためＧＮＤの接触確保がさらに安定し、また、ランプの温度分布が左右均等になりやすいという作用を有する。
【００１６】
以上のように構成された本発明の携帯型情報処理装置について図を用いて説明する。
【００１７】
（実施の形態１）
図１は、本発明の一実施の形態の携帯型情報処理装置の表示部の部分拡大図、図２はその断面図である。
【００１８】
図において、１は液晶表示装置、２は液晶表示装置１を収納する背面筐体で、マグネシウム合金などの金属材料で形成されている。３は、情報処理装置本体（図示せず）に対して開閉可能となるためのヒンジ回転軸３ａと、一端をヒンジ回転軸３ａに固定されたヒンジアーム部３ｂとを有するヒンジユニット、４は金属リフレクタ、５は液晶表示装置１の表示面を明るく表示させるためのランプである。金属リフレクタ４はバネ性の金属材料で形成されており、ランプ５を覆うように配置され、その端部は、ヒンジユニット３とのＧＮＤを確保するためのバネ性の接触片４ａがあり、ヒンジアーム部３ｂに接触している。
【００１９】
これにより、金属リフレクタ４を接触片４ａからヒンジユニット３を経由し、情報処理装置本体にＧＮＤ接続することができる。接触片４ａは金属製のバネ構造であるため、温度及び経時による変化が非常に少なく、接触の安定性を確保することができる。
【００２０】
これにより、表示部の開閉動作及び加振等で液晶表示面にチラツキが発生するなど画像がみだれた状態がなくなる。
【００２１】
また、接触片４ａが金属リフレクタ４と一体となっているため、ＧＮＤ安定化のための専用の部品が不要である。
【００２２】
また、接触片４ａを金属リフレクタ４の両端に配置し、携帯型情報処理装置両端に設けられる２つのヒンジユニット３にそれぞれ接触させるようにすれば、ＧＮＤの接触確保がさらに安定するだけでなく、放熱作用によりランプの温度分布を左右均等にすることができる。
【００２３】
なお、本実施の形態では、接触片４ａを金属リフレクタ４と一体としたが、これを別部品としてもよい。こうすれば、金属リフレクタ４の材料が必ずしもバネ性を有するものでなくてもよい。
【００２４】
また、金属リフレクタの代わりに樹脂などの非金属の材料に金属メッキしたものを使用してもよい。
【産業上の利用可能性】
【００２５】
本発明によれば、より軽量化を狙っていく際に、課題となる液晶表示装置の表示チラチキ対策として、金属リフレクタからのＧＮＤ確保において、金属製のバネをヒンジユニットに弾性的に接触させているので、安定したＧＮＤ確保を実現することができ、携帯型情報処理装置などの液晶表示装置を有する電子機器の表示装置構造として有用である。
【図面の簡単な説明】
【００２６】
【図１】本発明の一実施の形態の携帯型情報処理装置の表示部の部分拡大図
【図２】本発明の一実施の形態の携帯型情報処理装置の表示部の断面図
【図３】従来の携帯型情報処理装置の構造を示す分解斜視図
【図４】従来の携帯型情報処理装置の断面図
【符号の説明】
【００２７】
１  液晶表示装置
２  背面筐体
３  ヒンジユニット
３ａ  ヒンジ回転軸
３ｂ  ヒンジアーム部
４  金属リフレクタ
４ａ  接触片
５  ランプ
【図１】
2006190012.tif 000003
【図２】
2006190012.tif 000004
【図３】
2006190012.tif 000005
【図４】
2006190012.tif 000006